(57)【要約】      （修正有）【課題】屋根被覆材の側端部が下地材の端部と重合するように設ける縦葺き屋根構造において、屋根被覆材をパネル押さえで間に固定のためのパッキン材を使用しているが、屋根被覆材の伸縮による発音を抑制することが十分にできていないという欠点を解決する。【解決手段】屋根被覆材の少なくとも固定する縁部、又は少なくとも固定部材と接する部位に細かい無数の凹凸面を設けて屋根被覆材の伸縮による発生音を抑制するようにしたことを特徴とする。ここにいう少なくともとは、屋根被覆材の一部の縁部または全面のことである。細かい無数の凹凸面は屋根被覆材の固定の態様によっては両面に設けるのが好ましくよい。【選択図】図１
2005282001.tif 000002
【特許請求の範囲】
【請求項１】
屋根被覆材の少なくとも固定する縁部、又は少なくとも固定部材と接する部位に細かい無数の凹凸面を設けて屋根被覆材の伸縮による発生音を抑制するようにしたことを特徴とする屋根被覆材の制音構造。
【請求項２】
屋根被覆材に設ける凹凸面が、多数の小さな突起、細い多数の平行又は交差した線条からなるものである請求項１記載の屋根被覆材の制音構造。
【請求項３】
小さな突起の径が3mm〜0.005mm、好ましくは1mm〜0.01mmである請求項２記載の屋根被覆材の制音構造。
【請求項４】
細い多数の平行又は交差した線条の間隔が3mm〜0.005mm、好ましくは1mm〜0.01mmである請求項２記載の屋根被覆材の制音構造。
【発明の詳細な説明】
【技術分野】
【０００１】
本発明は、主としてカーポート、テラス、サンルーム等に用いられる屋根被覆材の制音、騒音発生防止構造に関するものである。
【背景技術】
【０００２】
屋根被覆材は、カーポート、テラス、サンルーム、セルター、サイクルポートなどが主に使用されている。材質としてはアクリル板、ポリカーボネート板、アルミポリプロピレン複合板、FRP板などが多用されている。
【０００３】
従来のこの種の縦葺き屋根構造として、特許文献2 (特開平07-224496)に示したようなものが知られている。概ね屋根の下地を形成すべく流れ方向に直交する方向に配される鋼等からなる母屋材上に桁方向に所定間隔で、かつ流れ方向に沿って樋部材が複数配設される。前記樋部材を跨ぐように母屋材上に配設される吊子部材により屋根被覆材が固定される。隣接する屋根板間にカバー部材を接合部に嵌装する。母屋材と屋根被覆材との間に断熱、遮音、耐火機能等を担う下地材、裏貼り部材が介装される。裏貼り部材は発泡ポリエチレン材等からなり、屋根被覆材の裏面側に断熱或いは補強用に取付けられる。
【０００４】
屋根被覆材の側端部が前記下地材の端部と重合するように設ける縦葺き屋根構造において、このように屋根被覆材をパネル押さえで間に固定のためのパッキン材を使用しているが、屋根被覆材の伸縮による発音を抑制することが十分にできていないという欠点があった。具体的には合成樹脂製の屋根被覆材の伸縮がある程度進んだときペキペキ、パチパチといった比較的大きな発生音となっていた。しかも母屋材と屋根被覆材との間に断熱、遮音、耐火機能等を担う下地材、裏貼り部材等を用いることになり構造が複雑となっていた。
【０００５】
【特許文献１】特開昭59-126854号公報
【特許文献２】特開平07-224496号公報
【特許文献３】実開昭58-069634公報
【発明の開示】
【発明が解決しようとする課題】
【０００６】
本発明で解決しようとする問題点は、屋根面全体に屋根被覆材の伸縮によるペキペキ、パチパチといった発生音を抑制することを主たる目的とする。下地材の断熱、遮音、耐火性能等をコストアップを招くことなく、このことを従来の屋根被覆材に比較的に容易に、かつ低コストで可能にすることその目的としている。
【課題を解決するための手段】
【０００７】
上記目的を達成すべく本発明は、伸縮する屋根被覆材の少なくとも固定する縁部、又は少なくとも固定部材と接する部位に細かい無数の凹凸面を設けて屋根被覆材の伸縮による発生音を抑制するようにしたことを特徴とする。ここにいう少なくともとは、屋根被覆材の一部の縁部または全面のことである。細かい無数の凹凸面は屋根被覆材の固定の態様によっては両面に設けるのが好ましいよい。
【０００８】
屋根被覆材に設ける凹凸面は、多数の小さな突起、細い多数の平行又は交差した線条からなるものが好ましい。
【０００９】
小さな突起の径としては、3mm〜0.005mm、好ましくは1mm〜0.01mmである。突起の形状については、半球状、矩形、多角形等任意な突出形状が形成可能である。3mmよりも突起の径が大きいと漏水のためのシール性に問題が生じてくる。また、0.005mm以下の突起の形成は困難であるし本発明の目的を達成しにくい。
【００１０】
細い多数の平行又は交差した線条の間隔が3mm〜0.005mm、好ましくは1mm〜0.01mmである。線条は屋根被覆材に凹または凸の状態で設けることができる。3mmよりも線条の間隔が大きいと漏水のためのシール性に問題が生じてくる。また、0.005mm以下の線条の形成は本発明の目的を達成しにくい。
【発明の効果】
【００１１】
本発明の屋根被覆材の制音構造は、屋根被覆材の固定する縁部、又は屋根被覆材の少なくとも固定部材と接する部位にギザギザの凹凸面を設けたことにより、屋根被覆材が気温変化や水濡れによって伸縮しても、発生音、騒音(きしみ音、ペキペキ、パチパチといった音)を抑制することができる。
【００１２】
従来の屋根被覆材の固定構造では、漏水防止等の理由から屋根被覆材の伸縮力をある一定の限界に達するまで強く把持して固定する構造であったために、その限界に達すると一挙に屋根被覆材の伸縮を許容してペキペキ、パチパチといった音を発生していた。
【００１３】
しかし、本発明の屋根被覆材の制音構造によると、屋根被覆材の伸縮を常に可能とするか、または屋根被覆材を強固に固定保持するために、従来のように屋根被覆材の伸縮を一挙に許容してペキペキ、パチパチといった音を発生するといったことがない。しかも、漏水等のシール性を通常のパッキンの使用でも容易に保持できる。という利点がある。最小の部品点数で、屋根被覆材の厚みを損なわずに実現した。
【発明を実施するための最良の形態】
【００１４】
本発明は屋根被覆材の少なくとも固定する縁部、又は少なくとも固定部材と接する部位に細かい無数の凹凸面を設けることによって屋根被覆材の伸縮による発生音を抑制することを実現した。
【実施例１】
【００１５】
図１は本発明の１実施例の屋根被覆材の斜視図であって、図２は端部拡大斜視図、図３は端部拡大断面図である。屋根被覆材１の少なくとも固定する縁部に細かい無数の凹凸面２を設けている。この例では無数の半球状突起の凹凸で形成している。小さな突起の径が3mm〜0.005mmである。これによって屋根被覆材の伸縮による発生音を抑制するようにした。図４は従来例の屋根被覆材10の斜視図である。
【００１６】
屋根被覆材に設ける凹凸面２は、図5のように多数の小さな溝でもよいし、図６のように細い多数の平行又は交差した線条からなるものであってもよい。平行又は交差した線条の間隔が3mm〜0.005mmである。
【００１７】
上記屋根被覆材１の使用状態を図７及び図８によって説明し、本発明の屋根被覆材の制音構造を更に説明する。
【００１８】
図７は屋根被覆材１の固定前の様子を示し、図８は固定後の様子を示している。これらの図に示すように、２枚の屋根被覆材１,１を下地材(垂木)３と重合するように設けて、屋根被覆材１,１の細かい無数の凹凸面２を設けた端部をパネル押さえ４で固定する。裏面に細かい無数の凹凸面２を設けた屋根被覆材１と下地材３、同様に表面に凹凸面２を設けた屋根被覆材１とパネル押さえ４との間には、それぞれ固定のためのパッキン材(タイト材)５,５を使用している。この状態でビス６により締結する。
【００１９】
このような本発明の屋根被覆材の制音構造によると、ビス６により締結する加減にもよるが、漏水を防止しながら、屋根被覆材の伸縮を常に可能とするか、または屋根被覆材を強固に固定保持するために、従来のように屋根被覆材の伸縮を一挙に許容することがないので、ペキペキ、パチパチといった音を発生することがなくなる。
【図面の簡単な説明】
【００２０】
【図１】屋根被覆材の斜視図である。（実施例１）
【図２】端部拡大斜視図である。
【図３】端部拡大断面図である。
【図４】従来例の屋根被覆材の斜視図である。
【図５】端部拡大斜視図である。（実施例２）
【図６】端部拡大斜視図である。（実施例３）
【図７】屋根被覆材の固定前の様子を示す端面図である。
【図８】屋根被覆材の固定後の様子を示す端面図である。
【符号の説明】
【００２１】
１    屋根被覆材
２    細かい無数の凹凸面
３    下地材(垂木)
４    パネル押さえ
５    パッキン材(タイト材)
６    ビス
【図１】
2005282001.tif 000003
【図２】
2005282001.tif 000004
【図３】
2005282001.tif 000005
【図４】
2005282001.tif 000006
【図５】
2005282001.tif 000007
【図６】
2005282001.tif 000008
【図７】
2005282001.tif 000009
【図８】
2005282001.tif 000010